(57)【要約】      （修正有）【課題】ＭＡＣレイヤに関する処理を行うＭＡＣレイヤ処理装置の動作確認のための試験を適切に行うことを可能にすること物理レイヤ処理装置及び物理レイヤ処理方法を提供する。【解決手段】システム１の基地局１０において、物理レイヤ処理装置１００は、端末装置からのアップリンク信号に対して物理レイヤに関する処理が行われた処理結果を上記物理レイヤよりも上位のＭＡＣレイヤに関する処理を行うＭＡＣレイヤ処理装置へ通知するための処理結果通知メッセージを取得する取得部と、ＭＡＣレイヤ処理装置へ通知するためのパラメータを上記処理結果通知メッセージに設定する設定部と、を備える。【選択図】図１
2020123809.tif 000002
【特許請求の範囲】
【請求項１】
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得する取得部と、
前記ＭＡＣレイヤ処理装置へ通知するためのパラメータを前記処理結果通知メッセージに設定する設定部と、
を備える物理レイヤ処理装置。
【請求項２】
前記設定部は、前記処理結果通知メッセージに含まれる１以上の情報を変更することにより、前記ＭＡＣレイヤ処理装置へ通知するための前記パラメータを設定する、請求項１記載の物理レイヤ処理装置。
【請求項３】
前記処理結果通知メッセージに含まれる前記１以上の情報は、アップリンクシェアードチャネルのデータを含む、請求項２記載の物理レイヤ処理装置。
【請求項４】
前記設定部は、前記アップリンク信号を識別するための１以上の識別情報に基づいて、前記処理結果通知メッセージに含まれる前記１以上の情報を変更する、請求項２又は３記載の物理レイヤ処理装置。
【請求項５】
前記１以上の識別情報は、前記端末装置を識別するための情報を含む、請求項４記載の物理レイヤ処理装置。
【請求項６】
前記１以上の識別情報は、前記アップリンク信号のサブフレーム番号を識別するための情報を含む、請求項４又は５記載の物理レイヤ処理装置。
【請求項７】
前記１以上の識別情報は、前記アップリンク信号に含まれるアップリンクシェアードチャネルデータのための誤り検出処理結果を識別するための情報を含む、請求項４乃至６のうち何れか１項記載の物理レイヤ処理装置。
【請求項８】
前記１以上の識別情報は、前記端末装置が在圏するセルを識別する情報を含む、請求項４乃至７のうち何れか１項記載の物理レイヤ処理装置。
【請求項９】
前記処理結果通知メッセージは、ランダムアクセスプリアンブル検出結果に関する情報を含み、
前記設定部は、前記端末装置が在圏する前記セルを識別する前記情報に基づいて、前記ランダムアクセスプリアンブル検出結果に関する前記情報を変更することにより、前記ＭＡＣレイヤ処理装置へ通知するための前記パラメータを設定する、請求項８記載の物理レイヤ処理装置。
【請求項１０】
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得することと、
前記処理結果通知メッセージに、前記ＭＡＣレイヤ処理装置へ通知するためのパラメータを設定することと、
を含む物理レイヤ処理方法。
【発明の詳細な説明】
【技術分野】
【０００１】
本発明は、物理レイヤ処理装置、及び物理レイヤ処理方法に関する。
【背景技術】
【０００２】
無線アクセスネットワークの基地局は、物理レイヤに関する処理、及び物理レイヤよりも上位のＭＡＣ（Medium Access Control）レイヤに関する処理を行う。ここで、物理レイヤ処理装置は、例えばＬＴＥ（Long Term Evolution）における物理レイヤの機能が実装された装置である。また、ＭＡＣレイヤ処理装置は、例えばＬＴＥにおけるＭＡＣレイヤの機能が実装された装置である。
【０００３】
物理レイヤ処理装置、及びＭＡＣレイヤ処理装置は、相互にデータ通信を行うことにより、協調して動作する。このような構成において、物理レイヤ処理装置と実際に接続させた状態で、ＭＡＣレイヤ処理装置が所望の動作を行うかどうかの試験を行う必要がある。
【０００４】
上記試験は、例えば、次のようにして行われる。まず、ＭＡＣレイヤ処理装置は、物理レイヤ処理装置に送受信設定要求メッセージを発行することにより、ダウンリンク信号の送信指示、及びアップリンク信号の受信指示を行う。次に、物理レイヤ処理装置は、ＭＡＣレイヤ処理装置からの送受信設定要求メッセージに基づき、ダウンリンク信号の送信、及びアップリンク信号の受信を行う。次に、これらの結果を基に、物理レイヤ処理装置からＭＡＣレイヤ処理装置に対して、処理結果通知メッセージが発行される。次に、処理結果通知メッセージに基づいてＭＡＣ処理装置が所望の動作をするかどうかが確認される。
【０００５】
また、例えば、特許文献１には、複数の送信元からマルチキャストデータが入力される場合に出力ポートを正しく短時間で決定するため、異なる２つのレイヤ間での処理を制御する中継装置が開示されている。
【先行技術文献】
【特許文献】
【０００６】
【特許文献１】特開２０１８−０１１２１０号公報
【発明の概要】
【発明が解決しようとする課題】
【０００７】
上述したように、ＭＡＣ処理装置の動作に関する試験は、物理レイヤ処理装置からの処理結果通知メッセージに基づいて行われる。ここで、試験の網羅性の観点から、様々な条件設定に基づいて、ＭＡＣレイヤ処理装置の動作に関する試験を行うことが必要となる。
【０００８】
しかしながら、ＭＡＣレイヤ処理装置は、物理レイヤ処理装置に対する送受信設定要求メッセージの値を自由に設定できるだけである。すなわち、物理レイヤ処理装置からの処理結果通知メッセージを、ＭＡＣレイヤ処理装置側から特定の値に指定することは容易でない。このため、試験の手間がかかってしまったり、網羅的な条件設定に基づいた試験ができなかったりする、という問題がある。
【０００９】
本発明の目的は、ＭＡＣレイヤに関する処理を行うＭＡＣレイヤ処理装置の動作確認のための試験を適切に行うことを可能にする物理レイヤ処理装置、及び物理レイヤ処理方法を提供することにある。
【課題を解決するための手段】
【００１０】
本発明の物理レイヤ処理装置は、端末装置からのアップリンク信号に対して物理レイヤに関する処理が行われた処理結果を上記物理レイヤよりも上位のＭＡＣレイヤに関する処理を行うＭＡＣレイヤ処理装置へ通知するための処理結果通知メッセージを取得する取得部と、上記ＭＡＣレイヤ処理装置へ通知するためのパラメータを上記処理結果通知メッセージに設定する設定部と、を備える。
【００１１】
本発明の物理レイヤ処理方法は、端末装置からのアップリンク信号に対して物理レイヤに関する処理が行われた処理結果を上記物理レイヤよりも上位のＭＡＣレイヤに関する処理を行うＭＡＣレイヤ処理装置へ通知するための処理結果通知メッセージを取得することと、上記処理結果通知メッセージに、上記ＭＡＣレイヤ処理装置へ通知するためのパラメータを設定することと、を含む。
【発明の効果】
【００１２】
本発明によれば、ＭＡＣレイヤに関する処理を行うＭＡＣレイヤ処理装置の動作確認のための試験を適切に行うことが可能になる。なお、本発明により、当該効果の代わりに、又は当該効果とともに、他の効果が奏されてもよい。
【図面の簡単な説明】
【００１３】
【図１】図１は、本発明の実施形態に係るシステム１の概略的な構成の一例を示す説明図である。
【図２】図２は、第１の実施形態に係る物理レイヤ処理装置１００の概略的な構成の例を示すブロック図である。
【図３】図３は、上記処理結果通知メッセージを生成するための処理の概略的な流れの例を説明するためのフローチャートである。
【図４】図４は、ＭＡＣレイヤ処理装置２００へ通知するためのパラメータの設定及び送信するための処理の概略的な流れの例を説明するためのフローチャートである。
【図５】図５は、第２の実施形態に係る物理レイヤ処理装置１００の概略的な構成の例を示すブロック図である。
【発明を実施するための形態】
【００１４】
以下、添付の図面を参照して本発明の実施形態を詳細に説明する。なお、本明細書及び図面において、同様に説明されることが可能な要素については、同一の符号を付することにより重複説明が省略され得る。
【００１５】
説明は、以下の順序で行われる。
１．本発明の実施形態の概要
２．システムの構成
３．第１の実施形態
３．１．物理レイヤ処理装置１００の構成
３．２．技術的特徴
４．第２の実施形態
４．１．物理レイヤ処理装置１００の構成
４．２．技術的特徴
５．他の形態
【００１６】
＜＜１．本発明の実施形態の概要＞＞
まず、本発明の実施形態の概要を説明する。
【００１７】
（１）技術的課題
無線アクセスネットワークの基地局は、物理レイヤに関する処理、及び物理レイヤよりも上位のＭＡＣ（Medium Access Control）レイヤに関する処理を行う。ここで、物理レイヤ処理装置は、例えばＬＴＥ（Long Term Evolution）における物理レイヤの機能が実装された装置である。また、ＭＡＣレイヤ処理装置は、例えばＬＴＥにおけるＭＡＣレイヤの機能が実装された装置である。
【００１８】
物理レイヤ処理装置、及びＭＡＣレイヤ処理装置は、相互にデータ通信を行うことにより、協調して動作する。このような構成において、物理レイヤ処理装置と実際に接続させた状態で、ＭＡＣレイヤ処理装置が所望の動作を行うかどうかの試験を行う必要がある。
【００１９】
上記試験は、例えば、次のようにして行われる。まず、ＭＡＣレイヤ処理装置は、物理レイヤ処理装置に送受信設定要求メッセージを発行することにより、ダウンリンク信号の送信指示、及びアップリンク信号の受信指示を行う。次に、物理レイヤ処理装置は、ＭＡＣレイヤ処理装置からの送受信設定要求メッセージに基づき、ダウンリンク信号の送信、及びアップリンク信号の受信を行う。次に、これらの結果を基に、物理レイヤ処理装置からＭＡＣレイヤ処理装置に対して、処理結果通知メッセージが発行される。次に、処理結果通知メッセージに基づいてＭＡＣ処理装置が所望の動作をするかどうかが確認される。
【００２０】
上述したように、ＭＡＣ処理装置の動作に関する試験は、物理レイヤ処理装置からの処理結果通知メッセージに基づいて行われる。ここで、試験の網羅性の観点から、様々な条件設定に基づいて、ＭＡＣレイヤ処理装置の動作に関する試験を行うことが必要となる。
【００２１】
しかしながら、ＭＡＣレイヤ処理装置は、物理レイヤ処理装置に対する送受信設定要求メッセージの値を自由に設定できるだけである。すなわち、物理レイヤ処理装置からの処理結果通知メッセージを、ＭＡＣレイヤ処理装置側から特定の値に指定することは容易でない。このため、試験の手間がかかってしまったり、網羅的な条件設定に基づいた試験ができなかったりする、という問題がある。
【００２２】
また、物理レイヤ処理装置からＭＡＣレイヤ処理装置への入力が正常値でない場合、ＭＡＣレイヤ処理装置の動作試験を正しく行うことができない。すなわち、ＭＡＣレイヤ処理装置が発行する送受信設定要求メッセージに応じて、物理レイヤ処理装置が不具合なく動作する必要がある。つまり、ＭＡＣレイヤ処理装置の動作試験を開始するためには、物理レイヤ処理装置の完成を待たなくてはならず、スケジュール上の制約を生じやすい。
【００２３】
さらに、ＭＡＣレイヤ処理装置の動作試験を評価するため、当該動作試験のための端末装置が必要となる。しかし、試験用端末は、不具合が発生することも多く、試験遂行上を阻害することになり得る。
【００２４】
本実施形態の目的は、ＭＡＣレイヤに関する処理を行うＭＡＣレイヤ処理装置の動作確認のための試験を適切に行うことを可能にすることにある。
【００２５】
（２）技術的特徴
本発明の実施形態では、例えば、端末装置からのアップリンク信号に対して物理レイヤに関する処理が行われた処理結果を上記物理レイヤよりも上位のＭＡＣレイヤに関する処理を行うＭＡＣレイヤ処理装置へ通知するための処理結果通知メッセージを取得し、上記ＭＡＣレイヤ処理装置へ通知するためのパラメータを上記処理結果通知メッセージに設定する。
【００２６】
これにより、例えば、ＭＡＣレイヤに関する処理を行うＭＡＣレイヤ処理装置の動作確認のための試験を適切に行うことが可能となる。
【００２７】
なお、上述した技術的特徴は本発明の実施形態の具体的な一例であり、当然ながら、本発明の実施形態は上述した技術的特徴に限定されない。
【００２８】
＜＜２．システムの構成＞＞
図１を参照して、本発明の実施形態に係るシステム１の構成の例を説明する。図１は、本発明の実施形態に係るシステム１の概略的な構成の一例を示す説明図である。図１を参照すると、システム１は、基地局１０、及び端末装置２０を含む。
【００２９】
例えば、システム１は、３ＧＰＰ（Third  Generation  Partnership  Project）の規格（standard）／仕様（specification）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００３０】
（１）基地局１０
基地局１０は、無線アクセスネットワーク（Radio  Access  Network：ＲＡＮ）のノードであり、カバレッジエリア内に位置する端末装置（例えば、端末装置２０）との無線通信を行う。
【００３１】
基地局１０は、物理レイヤ処理装置１００、及びＭＡＣレイヤ処理装置２００を含む。物理レイヤ処理装置１００は、物理レイヤの機能が実装された装置である。また、ＭＡＣレイヤ処理装置２００は、物理レイヤよりも上位のＭＡＣ（Medium Access Control）レイヤの機能が実装された装置である。
【００３２】
例えば、基地局１０は、ｅＮＢ（evolved  Node  B）であってもよく、又は、５ＧにおけるｇＮＢ（generation  Node  B）であってもよい。基地局１０は、複数のユニット（又は複数のノード）をさらに含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。たとえば、物理レイヤは、第１ユニットによって処理される。また、ＭＡＣレイヤは、第１ユニット又は第２ユニットによって処理される。
【００３３】
一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１０は、単一のユニット（又は単一のノード）であってもよい。この場合に、基地局１０は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００３４】
（２）端末装置２０
端末装置２０は、基地局との無線通信を行う。例えば、端末装置２０は、基地局１０のカバレッジエリア内に位置する場合に、基地局１０との無線通信を行う。例えば、端末装置２０は、ＵＥ（User  Equipment）である。
【００３５】
＜＜３．第１の実施形態＞＞
続いて、図２〜図４を参照して、本発明の第１の実施形態を説明する。
【００３６】
＜３．１．物理レイヤ処理装置１００の構成＞
次に、図２を参照して、第１の実施形態に係る物理レイヤ処理装置１００の構成の例を説明する。図２は、第１の実施形態に係る物理レイヤ処理装置１００の概略的な構成の例を示すブロック図である。図２を参照すると、物理レイヤ処理装置１００は、無線通信部１１０、ネットワーク通信部１２０、記憶部１３０、及び処理部１４０を備える。
【００３７】
（１）無線通信部１１０
無線通信部１１０は、信号を無線で送受信する。例えば、無線通信部１１０は、端末装置からの信号を受信し、端末装置への信号を送信する。
【００３８】
（２）ネットワーク通信部１２０
ネットワーク通信部１２０は、ネットワークを介してＭＡＣレイヤ処理装置２００から信号を受信し、ネットワークを介してＭＡＣレイヤ処理装置２００へ信号を送信する。
【００３９】
（３）記憶部１３０
記憶部１３０は、物理レイヤ処理装置１００の動作のためのプログラム（命令）及びパラメータ、並びに様々なデータを、一時的に又は恒久的に記憶する。当該プログラムは、物理レイヤ処理装置１００の動作のための１つ以上の命令を含む。
【００４０】
（４）処理部１４０
処理部１４０は、物理レイヤ処理装置１００の様々な機能を提供する。処理部１４０は、取得部１４１、設定部１４３、第１通信処理部１４５、第２通信処理部１４７、及び解析部１４９を含む。なお、処理部１４０は、これらの構成要素以外の他の構成要素をさらに含み得る。即ち、処理部１４０は、これらの構成要素の動作以外の動作も行い得る。取得部１４１、設定部１４３、第１通信処理部１４５、第２通信処理部１４７、及び解析部１４９の具体的な動作は、後に詳細に説明する。
【００４１】
例えば、処理部１４０（第１通信処理部１４５）は、ネットワーク通信部１２０を介してＭＡＣレイヤ処理装置２００と通信する。例えば、処理部１４０（第２通信処理部１４７）は、無線通信部１１０を介して端末装置（例えば、端末装置２０）と通信する。
【００４２】
（５）実装例
無線通信部１１０は、アンテナ及び高周波（Radio  Frequency：ＲＦ）回路等により実装されてもよく、当該アンテナは、指向性アンテナであってもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他の種類のプロセッサ等の１つ以上のプロセッサにより実装されてもよい。取得部１４１、設定部１４３、第１通信処理部１４５、第２通信処理部１４７、及び解析部１４９は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００４３】
物理レイヤ処理装置１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（取得部１４１、設定部１４３、第１通信処理部１４５、第２通信処理部１４７、及び／又は解析部１４９の動作）を行ってもよい。上記プログラムは、処理部１４０の動作（取得部１４１、設定部１４３、第１通信処理部１４５、第２通信処理部１４７、及び／又は解析部１４９の動作）をプロセッサに実行させるためのプログラムであってもよい。
【００４４】
＜３．２．技術的特徴＞
次に、第１の実施形態の技術的特徴を説明する。
【００４５】
物理レイヤ処理装置１００（取得部１４１）は、端末装置（例えば端末装置２０）からのアップリンク信号に対して物理レイヤに関する処理が行われた処理結果を上記物理レイヤよりも上位のＭＡＣレイヤに関する処理を行うＭＡＣレイヤ処理装置２００へ通知するための処理結果通知メッセージを取得する。また、物理レイヤ処理装置１００（設定部１４３）は、ＭＡＣレイヤ処理装置２００へ通知するためのパラメータを上記処理結果通知メッセージに設定する。
【００４６】
（１）ＭＡＣレイヤ処理装置２００へ通知するためのパラメータの設定
ＭＡＣレイヤ処理装置２００へ通知するための上記パラメータは、具体的には、ＭＡＣレイヤ処理装置２００の動作確認の試験を行うためのパラメータである。
【００４７】
例えば、物理レイヤ処理装置１００（設定部１４３）は、上記処理結果通知メッセージに含まれる１以上の情報を変更することにより、ＭＡＣレイヤ処理装置２００へ通知するための上記パラメータを設定する。
【００４８】
具体的には、上記処理結果通知メッセージに含まれる１以上の情報を変更するためのデータ（以下、処理結果通知変更値ともいう）が、物理レイヤ処理装置１００（記憶部１３０）に予め記憶されていてもよい。この場合、物理レイヤ処理装置１００（設定部１４３）は、上記処理結果通知メッセージに対して、上述したように記憶部１３０に記憶されている処理結果通知変更値を用いて、上記処理結果通知メッセージに含まれる任意の情報を変更する。
【００４９】
また、上記処理結果通知メッセージに含まれる上記１以上の情報は、アップリンクシェアードチャネルのデータを含んでもよい。すなわち、物理レイヤ処理装置１００（設定部１４３）は、アップリンクシェアードチャネルの一部のデータ系列を変更することにより、ＭＡＣレイヤ処理装置２００へ通知するための上記パラメータを設定してもよい。
【００５０】
−識別情報に基づいた変更
物理レイヤ処理装置１００（設定部１４３）は、上記アップリンク信号を識別するための１以上の識別情報に基づいて、上記処理結果通知メッセージに含まれる１以上の情報を変更してもよい。ここで、上記１以上の識別情報は、上記処理結果通知メッセージに含まれる。
【００５１】
上記端末装置（例えば端末装置２０）を識別するための情報（例えば端末識別番号）を含んでもよい。すなわち、物理レイヤ処理装置１００（設定部１４３）は、端末識別番号などを用いることにより、上記処理結果通知メッセージの一部を、端末識別番号で識別される２以上の端末装置間で互いに異なるデータ系列に変更してもよい。
【００５２】
また、上記１以上の識別情報は、上記アップリンク信号のサブフレーム番号を識別するための情報を含んでもよい。すなわち、物理レイヤ処理装置１００（設定部１４３）は、サブフレーム番号を用いることにより、上記処理結果通知メッセージの一部を、サブフレーム番号に対応する時間ごとに異なるデータ系列に変更してもよい。
【００５３】
また、上記１以上の識別情報は、上記アップリンク信号に含まれる上記アップリンクシェアードチャネルデータのための誤り検出処理結果を識別するための情報を含んでもよい。上記誤り検出処理結果を識別するための上記情報は、例えばＣＲＣ（Cyclic  Redundancy  Check）の処理結果、とりわけＣＲＣによる誤り判定結果の累積回数である。すなわち、物理レイヤ処理装置１００（設定部１４３）は、ＣＲＣによる誤り判定結果の累積回数を用いることにより、アップリンクシェアードチャネルデータが初送又は再送であるかに応じて、上記処理結果通知メッセージの一部を互いに異なるデータ系列に変更してもよい。
【００５４】
また、上記１以上の識別情報は、上記端末装置（例えば端末装置２０）が在圏するセルを識別する情報（例えばセル番号）を含んでもよい。例えば、上記処理結果通知メッセージがランダムアクセスプリアンブル検出結果に関する情報を含む場合、物理レイヤ処理装置１００（設定部１４３）は、上記端末装置が在圏するセルを識別する上記情報に基づいて、上記ランダムアクセスプリアンブル検出結果に関する情報を変更してもよい。すなわち、物理レイヤ処理装置１００は、上記ランダムアクセスプリアンブル検出結果に関する上記情報を、上記端末装置が在圏し得る複数のセル間で異なるデータ系列に変更してもよい。
【００５５】
（２）処理の流れ
図３及び図４を参照して、第１の実施形態に係る処理の例を説明する。
【００５６】
−処理結果通知メッセージの生成
まず、図３を参照して上記処理結果通知メッセージを生成するための処理の例を説明する。図３は、上記処理結果通知メッセージを生成するための処理の概略的な流れの例を説明するためのフローチャートである。
【００５７】
ステップＳ３０１において、第１通信処理部１４５は、ＭＡＣレイヤ処理装置２００から送信された送受信設定要求メッセージを受信する。例えば、上記送受信設定要求メッセージは、物理レイヤ処理装置１００から上記端末装置（例えば端末装置２０）へのダウンリンク信号を生成するためのパラメータ、及び、上記端末装置（例えば端末装置２０）から物理レイヤ処理装置１００へのアップリンク信号を受信するためのパラメータなどを含む。
【００５８】
ステップＳ３０３において、解析部１４９は、上記送受信設定要求メッセージの内容を解析し、その解析内容を第２通信処理部１４７に送信する。具体的には、ダウンリンク信号の生成のため、解析部１４９は、ダウンリンク信号の送信のためのパラメータを第２通信処理部１４７に送信することにより、送信信号の生成を指示する。また、アップリンク信号の復調及び復号のため、解析部１４９は、アップリンク信号を受信するためのパラメータを第２通信処理部１４７に送信することにより、受信設定を指示する。
【００５９】
ステップＳ３０５において、第２通信処理部１４７は、解析部１４９から送信される解析内容に基づき、物理レイヤ処理装置１００から上記端末装置（例えば端末装置２０）へのダウンリンク信号を生成し、生成したダウンリンク信号を送信する。ダウンリンク信号の送信タイミングは、例えば、上記送受信設定要求メッセージで動的に指示される、又は静的に決定される。
【００６０】
ステップＳ３０７において、第２通信処理部１４７は、解析部１４９から送信される解析内容に基づき、上記端末装置（例えば端末装置２０）から物理レイヤ処理装置１００に送信されるアップリンク信号を受信するための受信設定を行う。
【００６１】
ステップＳ３０９において、第２通信処理部１４７は、上記端末装置（例えば端末装置２０）から物理レイヤ処理装置１００に送信されるアップリンク信号を受信する。アップリンク信号の受信タイミングは、例えば、上記送受信設定要求メッセージで動的に指示される、又は静的に決定される。
【００６２】
ステップＳ３１１において、第２通信処理部１４７は、ステップＳ３０７により行った受信設定に基づき、受信したアップリンク信号を復調及び復号する。
【００６３】
ステップＳ３１３において、取得部１４１は、ステップＳ３１１の復調及び復号結果に基づき、ＭＡＣレイヤ処理装置２００に通知するための上記処理結果通知メッセージを生成する。このようにして、取得部１４１は、上記処理結果通知メッセージを取得することができる。
【００６４】
−ＭＡＣレイヤ処理装置２００へ通知するためのパラメータの設定及び送信
次に、図４を参照してＭＡＣレイヤ処理装置２００へ通知するためのパラメータの設定及び送信するための処理の例を説明する。図４は、ＭＡＣレイヤ処理装置２００へ通知するためのパラメータの設定及び送信するための処理の概略的な流れの例を説明するためのフローチャートである。
【００６５】
ステップＳ４０１において、設定部１４３は、上記処理結果通知メッセージに含まれる識別情報を読み出す。
【００６６】
ステップＳ４０３において、設定部１４３は、ステップＳ４０１により読み出された上記識別情報を用いて、記憶部１３０に記憶されている処理結果通知変更値を読み出す。
【００６７】
ステップＳ４０５において、設定部１４３は、上記処理結果通知メッセージに含まれるアップリンクシェアードチャネルのデータ系列の少なくとも一部を、ステップＳ４０３で得られた処理結果通知変更値を示すデータ系列に変更する。このようなデータ系列の変更により、設定部１４３は、ＭＡＣレイヤ処理装置２００へ通知するための上記パラメータを上記処理結果通知メッセージに設定することができる。
【００６８】
ステップＳ４０７において、第１通信処理部１４５は、ステップＳ４０５によりデータ系列の変更が行われた処理結果通知メッセージを、ＭＡＣレイヤ処理装置２００に送信する。
【００６９】
なお、図３及び図４に示した各々のステップの動作開始タイミングは、前段のステップが完了した直後であってもよく、予め決められた時間であってもよい。
【００７０】
また、設定部１４３は、例えば取得部１４１により取得（生成）される上記処理結果通知メッセージがＭＡＣレイヤ処理装置２００に送信すべき信号として不適切又は未完成など、上記処理結果通知メッセージが誤っているか否かを判断してもよい。この場合、上記処理結果通知メッセージが誤っていると判定されたタイミングで、上述した図４に示す処理を開始するようにしてもよい。
【００７１】
（３）まとめ
第１の実施形態によれば、物理レイヤ処理装置１００からＭＡＣレイヤ処理装置２００への処理結果通知メッセージを変更できることにより、ＭＡＣレイヤ処理装置２００の動作試験を行うための設定条件を、直接的に指定することが可能となる。
【００７２】
また、第１の実施形態によれば、物理レイヤ処理装置１００が未完成であるため、上記処理結果通知メッセージの値が不正値である場合であっても、上記処理結果通知メッセージの一部を変更できる。これにより、第１の実施形態によれば、ＭＡＣレイヤ処理装置２００の動作試験を期待どおりに行うことが可能となる。
【００７３】
さらに、第１の実施形態によれば、ＭＡＣレイヤ処理装置２００の動作試験のための端末装置（試験用端末）を準備しなくても、上記処理結果通知メッセージの一部を変更できる。これにより、第１の実施形態によれば、ＭＡＣレイヤ処理装置２００の動作試験を期待どおりに行うことが可能となる。
【００７４】
＜＜４．第２の実施形態＞＞
続いて、本発明の第２の実施形態を説明する。上述した第１の実施形態は、具体的な実施形態であるが、第２の実施形態は、より一般化された実施形態である。
【００７５】
＜４．１．物理レイヤ処理装置１００の構成＞
図５を参照して、第２の実施形態に係る物理レイヤ処理装置１００の構成の例を説明する。図５は、第２の実施形態に係る物理レイヤ処理装置１００の概略的な構成の例を示すブロック図である。図５を参照すると、物理レイヤ処理装置１００は、取得部１５１、及び設定部１５３を備える。
【００７６】
取得部１５１及び設定部１５３は、同一のプロセッサにより実装されてもよく、別々に異なるプロセッサにより実装されてもよい。物理レイヤ処理装置１００は、プログラムを記憶するメモリと、当該プログラムを実行可能な１つ以上のプロセッサとを含んでもよく、当該１つ以上のプロセッサは、取得部１５１及び設定部１５３の動作を行ってもよい。上記プログラムは、取得部１５１及び設定部１５３の動作を上記１つ以上のプロセッサに実行させるためのプログラムであってもよい。
【００７７】
＜４．２．技術的特徴＞
次に、第２の実施形態の技術的特徴を説明する。上述した第１の実施形態は、具体的な実施形態であるが、第２の実施形態は、より一般化された実施形態である。
【００７８】
物理レイヤ処理装置１００（取得部１５１）は、端末装置からのアップリンク信号に対して物理レイヤに関する処理が行われた処理結果を上記物理レイヤよりも上位のＭＡＣレイヤに関する処理を行うＭＡＣレイヤ処理装置へ通知するための処理結果通知メッセージを取得する。また、物理レイヤ処理装置１００（設定部１５３）は、ＭＡＣレイヤ処理装置へ通知するためのパラメータを上記処理結果通知メッセージに設定する。
【００７９】
取得部１５１は、上述した第１の実施形態に係る取得部１４１の動作と同一の動作を行ってもよい。また、設定部１５３は、上述した第１の実施形態に係る設定部１４３と同一の動作を行ってもよい。
【００８０】
第２の実施形態によれば、物理レイヤ処理装置１００が、ＭＡＣレイヤ処理装置へ通知するためのパラメータを上記処理結果通知メッセージに設定することにより、ＭＡＣレイヤ処理装置の動作確認のための試験を適切に行うことが可能となる。
【００８１】
＜＜５．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【００８２】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【００８３】
また、本明細書において説明した物理レイヤ処理装置の構成要素（例えば、取得部及び／又は設定部）を備える装置（例えば、物理レイヤ処理装置を構成する複数の装置（又はユニット）のうちの１つ以上の装置（又はユニット）、又は上記複数の装置（又はユニット）のうちの１つのためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【００８４】
上記実施形態の一部又は全部は、以下の付記のようにも記載され得るが、以下には限られない。
【００８５】
（付記１）
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得する取得部と、
前記ＭＡＣレイヤ処理装置へ通知するためのパラメータを前記処理結果通知メッセージに設定する設定部と、
を備える物理レイヤ処理装置。
【００８６】
（付記２）
前記設定部は、前記処理結果通知メッセージに含まれる１以上の情報を変更することにより、前記ＭＡＣレイヤ処理装置へ通知するための前記パラメータを設定する、付記１記載の物理レイヤ処理装置。
【００８７】
（付記３）
前記処理結果通知メッセージに含まれる前記１以上の情報は、アップリンクシェアードチャネルのデータを含む、付記２記載の物理レイヤ処理装置。
【００８８】
（付記４）
前記設定部は、前記アップリンク信号を識別するための１以上の識別情報に基づいて、前記処理結果通知メッセージに含まれる前記１以上の情報を変更する、付記２又は３記載の物理レイヤ処理装置。
【００８９】
（付記５）
前記１以上の識別情報は、前記端末装置を識別するための情報を含む、付記４記載の物理レイヤ処理装置。
【００９０】
（付記６）
前記１以上の識別情報は、前記アップリンク信号のサブフレーム番号を識別するための情報を含む、付記４又は５記載の物理レイヤ処理装置。
【００９１】
（付記７）
前記１以上の識別情報は、前記アップリンク信号に含まれるアップリンクシェアードチャネルデータのための誤り検出処理結果を識別するための情報を含む、付記４乃至６のうち何れか１項記載の物理レイヤ処理装置。
【００９２】
（付記８）
前記１以上の識別情報は、前記端末装置が在圏するセルを識別する情報を含む、付記４乃至７のうち何れか１項記載の物理レイヤ処理装置。
【００９３】
（付記９）
前記処理結果通知メッセージは、ランダムアクセスプリアンブル検出結果に関する情報を含み、
前記設定部は、前記端末装置が在圏する前記セルを識別する前記情報に基づいて、前記ランダムアクセスプリアンブル検出結果に関する前記情報を変更することにより、前記ＭＡＣレイヤ処理装置へ通知するための前記パラメータを設定する、付記８記載の物理レイヤ処理装置。
【００９４】
（付記１０）
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得することと、
前記処理結果通知メッセージに、前記ＭＡＣレイヤ処理装置へ通知するためのパラメータを設定することと、
を含む物理レイヤ処理方法。
【００９５】
（付記１１）
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得することと、
前記処理結果通知メッセージに、前記ＭＡＣレイヤ処理装置へ通知するためのパラメータを設定することと、
をプロセッサに実行させるプログラム。
【００９６】
（付記１２）
端末装置からのアップリンク信号に対して物理レイヤに関する処理が行われた処理結果を前記物理レイヤよりも上位のＭＡＣレイヤに関する処理を行うＭＡＣレイヤ処理装置へ通知するための処理結果通知メッセージを取得することと、
前記処理結果通知メッセージに、前記ＭＡＣレイヤ処理装置へ通知するためのパラメータを設定することと、
をプロセッサに実行させるプログラムを記録したコンピュータに読み取り可能な非一時的記録媒体。
【産業上の利用可能性】
【００９７】
移動体通信システムにおいて、ＭＡＣレイヤに関する処理を行うＭＡＣレイヤ処理装置の動作確認のための試験を適切に行うことができる。
【符号の説明】
【００９８】
１  システム
１０  基地局
２０  端末装置
１００  物理レイヤ処理装置
１４１、１５１  取得部
１４３、１５３  設定部
１４５  第１通信処理部
１４７  第２通信処理部
１４９  解析部
２００  ＭＡＣレイヤ処理装置
【図１】
2020123809.tif 000003
【図２】
2020123809.tif 000004
【図３】
2020123809.tif 000005
【図４】
2020123809.tif 000006
【図５】
2020123809.tif 000007